(57)【特許請求の範囲】
【請求項１】
第１ハウジングと、
前記第１ハウジングと嵌合可能な第２ハウジングと、
前記第１ハウジングを構成し、複数の第１収容空間が形成されたフレーム本体部と、前記フレーム本体部の外周縁から前方へ延出するフード部とを有する第１フレームと、
前記複数の第１収容空間に個別に収容された複数の第１サブハウジングと、
前記第１サブハウジングに取り付けられた複数の雄形の第１端子金具と、
前記フレーム本体部の前面から前方へ突出する突起と、
前記突起の外側面から突出する補強部と、
前記第２ハウジングを構成し、複数の第２収容空間が形成された第２フレームと、
前記複数の第２収容空間に個別に収容された複数の第２サブハウジングと、
前記第２サブハウジングに取り付けられた複数の雌形の第２端子金具と、
前記第２フレームに形成され、隣り合う前記第２収容空間同士を区画する仕切壁と、
前記仕切壁の内部に形成され、前記フード部内に前記第２ハウジングを嵌合したときに、前記突起を収容する収容凹部と、
前記仕切壁に形成され、前記収容凹部から前記仕切壁の外面に連通する形態であって、前記突起が前記収容凹部に収容されたときに前記補強部を収容する切欠部とを備え、
前記補強部が、前記切欠部を埋めて前記仕切壁の一部を構成し、
前記補強部の外面が前記仕切壁の外面に対し面一状に連なっていることを特徴とするコネクタ。
【請求項２】
前記突起の突出方向における前記補強部の形成領域は、前記突起の全長のうち基端側の一部のみの範囲であることを特徴とする請求項１記載のコネクタ。
【請求項３】
前記突起の突出方向と交差する方向における前記補強部の形成領域は、前記突起の一部のみとされていることを特徴とする請求項１又は請求項２記載のコネクタ。
【発明の詳細な説明】
【技術分野】
【０００１】
本発明は、コネクタに関するものである。
【背景技術】
【０００２】
特許文献１には、分割タイプのコネクタが開示されている。このコネクタは、嵌合可能な第１ハウジングと第２ハウジングとを備える。第１ハウジングは、第１フレームと、複数の第１サブハウジングと、各第１サブハウジングに取り付けられた複数の雄形の第１端子金具とを備える。第１フレームは、第１サブハウジングを収容するための複数の第１収容空間が形成されたフレーム本体部と、フレーム本体部の外周縁から前方へ延出するフード部とを有する。各第１収容空間には、夫々、第１サブハウジングが収容され、各第１サブハウジングから前方へ突出する複数の第１端子金具のタブは、フード部によって一括して包囲される。第２ハウジングは、第２フレームと、複数の第２サブハウジングと、各第２サブハウジングに取り付けられた複数の雌形の第２端子金具とを備える。第２フレームは、第２サブハウジングを収容する複数の第２収容空間とを備える。
【０００３】
このコネクタには、第１ハウジングと第２ハウジングが斜めに嵌合するのを防止するコジリ防止手段として、第１フレームには、フレーム本体部の前面から前方へ突出する突起が形成されている。一方、第２フレームには、隣り合う第２収容空間を仕切る仕切壁が形成され、この仕切壁内には、両ハウジングが嵌合したときに突起を収容する収容凹部が形成されている。
【先行技術文献】
【特許文献】
【０００４】
【特許文献１】特開２００６−２２１９２０号公報
【発明の概要】
【発明が解決しようとする課題】
【０００５】
上記のコネクタにおいて小型化を図ろうとする場合、端子金具だけでなく、突起も細くすることになる。突起を細くすると、突起の強度低下が懸念されるため、その対策として、突起の外面に、両ハウジングの嵌合方向に沿った補強部を形成することが考えられる。しかし、突起の外面から補強部を突出させると、収容凹部の容積を大きくせざるを得ず、結果的に、充分な小型化が実現できない、という問題がある。
本発明は上記のような事情に基づいて完成されたものであって、小型化を図ることを目的とする。
【課題を解決するための手段】
【０００６】
上記の目的を達成するための手段として、本発明は、
第１ハウジングと、
前記第１ハウジングと嵌合可能な第２ハウジングと、
前記第１ハウジングを構成し、複数の第１収容空間が形成されたフレーム本体部と、前記フレーム本体部の外周縁から前方へ延出するフード部とを有する第１フレームと、
前記複数の第１収容空間に個別に収容された複数の第１サブハウジングと、
前記第１サブハウジングに取り付けられた複数の雄形の第１端子金具と、
前記フレーム本体部の前面から前方へ突出する突起と、
前記突起の外側面から突出する補強部と、
前記第２ハウジングを構成し、複数の第２収容空間が形成された第２フレームと、
前記複数の第２収容空間に個別に収容された複数の第２サブハウジングと、
前記第２サブハウジングに取り付けられた複数の雌形の第２端子金具と、
前記第２フレームに形成され、隣り合う前記第２収容空間同士を区画する仕切壁と、
前記仕切壁の内部に形成され、前記フード部内に前記第２ハウジングを嵌合したときに、前記突起を収容する収容凹部と、
前記仕切壁に形成され、前記収容凹部から前記仕切壁の外面に連通する形態であって、前記突起が前記収容凹部に収容されたときに前記補強部を収容する切欠部とを備え、
前記補強部が、前記切欠部を埋めて前記仕切壁の一部を構成し、
前記補強部の外面が前記仕切壁の外面に対し面一状に連なっているところに特徴を有する。
【０００７】
本発明によれば、両ハウジングを嵌合して突起が収容凹部に収容されると、補強部は仕切壁の切欠部に収容されるので、収容凹部の容積からは補強部の体積分を省くことができる。したがって、突起の外面に補強部を突出形成しても、収容凹部の容積の増大を抑えることができ、ひいては、コネクタ全体の小型化を図ることができる。
【図面の簡単な説明】
【０００８】
【図１】実施例１の第１ハウジングと第２ハウジングを嵌合した状態をあらわす断面図
【図２】第１ハウジングの断面図
【図３】第２ハウジングの断面図
【図４】第１フレームの正面図
【図５】図４のＡ−Ａ線断面図
【図６】図４のＢ−Ｂ線断面図
【図７】第２フレームの正面図
【図８】図７のＣ−Ｃ線断面図
【発明を実施するための形態】
【０００９】
本発明のコネクタは、前記突起の突出方向における前記補強部の形成領域が、前記突起の全長のうち基端側の一部のみの範囲であってもよい。
この構成によれば、補強部の形成領域を、突起の全長のうち基端側の一部だけとしたから、切欠部の形成範囲が小さくて済む。これにより、切欠部を形成したことに起因する仕切壁の強度低下を、抑制することができる。
【００１０】
本発明のコネクタは、前記突起の突出方向と交差する方向における前記補強部の形成領域が、前記突起の一部のみとされていてもよい。
この構成によれば、突起の突出方向と交差する方向における補強部の形成領域を、突起の一部のみとしたから、切欠部の形成範囲が小さくて済む。これにより、切欠部を形成したことに起因する仕切壁の強度低下を、抑制することができる。
【００１１】
＜実施例１＞
以下、本発明を具体化した実施例１を図１〜図８を参照して説明する。図１に示すように、本実施例のコネクタは、互いに嵌合・離脱される第１ハウジング１０と第２ハウジング３０とから構成されている。尚、以下の説明において、前後方向と両ハウジング１０，３０の嵌合・離脱方向は、平行な方向であるから、同義で用いる。
【００１２】
図２に示すように、第１ハウジング１０は、合成樹脂製の第１フレーム１１と、合成樹脂製の２つの第１サブハウジング１７と、複数の雄形の第１端子金具１８とを備えて構成されている。図４，５に示すように、第１フレーム１１は、全体として縦長であり、フレーム本体部１２と、フレーム本体部１２の外周縁から前方（図２における右方）へ延出する略角筒状のフード部１３とを一体に形成して構成されている。フレーム本体部１２には、前後方向に貫通した形態の２つの第１収容空間１４が上下方向（つまり、両ハウジング１０，３０の嵌合方向と直交する方向）に並んで形成されている。２つの第１収容空間１４は、水平な第１仕切壁１５によって区画されている。各第１収容空間１４の上下両内面には、夫々、前方へ片持ち状に延出した形態の第１ランス１６が形成されている。
【００１３】
図２に示すように、第１サブハウジング１７には複数の第１端子金具１８が取り付けられ、第１端子金具１８の先端のタブ１９が、第１サブハウジング１７から前方へ突出している。各第１サブハウジング１７の上下両外面には、夫々、第１係止突部２０が形成されている。第１サブハウジング１７は、フレーム本体部１２の後方から第１収容空間１４内に収容される。収容された第１サブハウジング１７は、第１係止突部２０を第１ランス１６に係止させることで抜止めされている。第１サブハウジング１７を第１フレーム１１に取り付けた状態では、複数のタブ１９が、フード部１３により一括して包囲されることで、異物の干渉から保護されている。
【００１４】
図３に示すように、第２ハウジング３０は、合成樹脂製の第２フレーム３１と、合成樹脂製の２つの第２サブハウジング３５と、複数の雌形の第２端子金具３６とを備えて構成されている。図７，８に示すように、第２フレーム３１は、全体として縦長であり、第２フレーム３１には、前後方向に貫通した形態の２つの第２収容空間３２が上下に並んで形成されている。２つの第２収容空間３２は、水平な第２仕切壁３３（本発明の構成要件である仕切壁）によって区画されている。各第２収容空間３２の上下両内面には、夫々、前方へ片持ち状に延出した形態の第２ランス３４が形成されている。
【００１５】
図３に示すように、第２サブハウジング３５には複数の第２端子金具３６が取り付けられている。各第２サブハウジング３５の上下両外面には、夫々、第２係止突部３７が形成されている。第２サブハウジング３５は、第２フレーム３１の後方から第２収容空間３２内に収容される。収容された第２サブハウジング３５は、第２係止突部３７と第２ランス３４との係止により抜止めされている。
【００１６】
本実施例のコネクタには、両ハウジング１０，３０が斜めに嵌合するのを防止するための手段として、以下に説明するコジリ防止手段が設けられている。図４〜６に示すように、第１フレーム１１には、フレーム本体部１２の第１仕切壁１５の前面から前方へ突出する突起２１が形成されている。突起２１の突出方向は、両ハウジング１０，３０の嵌合・離脱方向と平行である。また、第１収容空間１４の並び方向（上下方向）及び両ハウジング１０，３０の嵌合方向（前後方向）の両方向に対して直交する幅方向（左右方向）における突起２１の形成位置は、第１仕切壁１５の中央部である。つまり、第１ランス１６と非対応の位置である。突起２１の前端（突出端）は、フード部１３の前端よりも後方の位置である。図４に示すように、前方から見たときの突起２１の形状は、幅方向（第１仕切壁１５と平行な方向）に長い長方形をなす。
【００１７】
本実施例のコネクタでは、全体として小型化が図られており、そのために、第１端子金具１８が細くなっているだけでなく、突起２１も細くしている。しかし、突起２１を細くすると、突起２１の強度低下が懸念されるため、その対策として、図４〜６に示すように、各突起２１の外面には、夫々、両ハウジング１０，３０の嵌合方向に沿った一対の補強部２２が形成されている。突起２１の突出方向における補強部２２の形成領域は、突起２１の全長のうち基端側の一部のみの範囲であり、突起２１の全長のうち補強部２２の形成されていない領域は、突起２１の前端部（突出端部）だけである。
【００１８】
また、図４に示すように、一対の補強部２２は、突起２１の突出方向（前後方向）と平行な軸に関して点対称な形態である。一方の補強部２２は、突起２１の右側面における上半分領域と、突起２１の上面における右半分領域とに亘り、略Ｌ字形をなすように形成されている。他方の補強部２２は、突起２１の左側面における下半分領域と、突起２１の下面における左半分領域とに亘り、略Ｌ字形をなすように形成されている。つまり、突起２１の突出方向と交差する左右方向（幅方向）及び上下方向（厚さ方向）における補強部２２の形成領域は、突起２１の一部のみとされている。
【００１９】
図８に示すように、第２フレーム３１の第２仕切壁３３内には、両ハウジング１０，３０が嵌合したときに突起２１を収容する収容凹部３８が形成されている。収容凹部３８の前端は第２仕切壁３３の前端面に開放されているのに対し、収容凹部３８の後端は、第２仕切壁３３の後端面には開放されておらず、収容凹部３８は袋小路状である。図７に示すように、左右方向における収容凹部３８の形成位置は、第２仕切壁３３の中央部、つまり突起２１と対応する位置である。
【００２０】
また、図７，８に示すように、第２仕切壁３３には、収容凹部３８内から第２仕切壁３３の外面（上面と下面）に連通する形態の一対の切欠部３９が形成されている。一対の切欠部３９には、両ハウジング１０，３０が嵌合したときに一対の補強部２２が収容されるようになっている。つまり、一対の切欠部３９は、前後方向と平行な軸に関して点対称な形態である。上側の切欠部３９は、一方の補強部２２と対応するように収容凹部３８の左半分領域に形成され、下側の切欠部３９は、他方の補強部２２と対応するように収容凹部３８の右半分領域に形成されている。
【００２１】
また、図７に示すように、第２仕切壁３３には、補強部２２のうち突起２１の左右両側面に形成されている部分を収容するための一対の逃がし溝４０が、収容凹部３８と連通する形態で形成されている。左側の逃がし溝４０は、収容凹部３８の上半分領域に形成され、右側の逃がし溝４０は、収容凹部３８の下半分領域に形成されている。
【００２２】
両ハウジング１０，３０を嵌合した状態では、突起２１が収容凹部３８内に嵌入するとともに、一対の補強部２２が、一対の切欠部３９と一対の逃がし溝４０内に嵌入される。これにより、収容凹部３８の中空内が、突起２１により殆ど隙間を生じることなく埋められるとともに、一対の切欠部３９と一対の逃がし溝４０の中空内が、一対の補強部２２により殆ど隙間を生じることなく埋められる。つまり、突起２１と一対の補強部２２は、第２仕切壁３３の一部を構成する。また、一方の補強部２２の上面と他方の補強部２２の下面が、夫々、第２仕切壁３３の上面と下面に対して面一状に連なる。
【００２３】
上述のように、本実施例のコネクタは、両ハウジング１０，３０を嵌合して突起２１が収容凹部３８に収容されると、補強部２２が第２仕切壁３３の切欠部３９に収容されるので、収容凹部３８として確保すべき容積からは、補強部２２の体積分を省くことができる。したがって、突起２１の外面に補強部２２を突出形成しても、収容凹部３８の容積の増大を抑えることができ、ひいては、コネクタ全体の小型化を図ることができる。
【００２４】
また、突起２１の突出方向における補強部２２の形成領域を、突起２１の全長のうち基端側の一部のみの範囲としている。したがって、突起２１の突出方向（収容凹部３８の奥行き方向）における切欠部３９の形成範囲が小さくて済む。これにより、切欠部３９を形成したことに起因する第２仕切壁３３の強度低下を、抑制することができる。
【００２５】
さらに、突起２１の突出方向と交差する方向における補強部２２の形成領域を、突起２１の一部のみとしている。したがって、突起２１の突出方向（収容凹部３８の奥行き方向）と交差する方向における切欠部３９の形成範囲が小さくて済む。これにより、切欠部３９を形成したことに起因する第２仕切壁３３の強度低下を、抑制することができる。
【００２６】
＜他の実施例＞
本発明は上記記述及び図面によって説明した実施例に限定されるものではなく、例えば次のような実施例も本発明の技術的範囲に含まれる。
（１）上記実施例では、突起の突出方向における補強部の形成領域は、突起の全長のうち基端側の一部のみの範囲としたが、突起の突出方向における補強部の形成領域は、突起の全長に亘っていてもよい。
（２）上記実施例では、突起の突出方向と交差する方向における補強部の形成領域は、突起の一部のみとしたが、突起の突出方向と交差する方向における補強部の形成領域は、突起の全体に亘っていてもよい。
（３）上記実施例では、突起に一対の補強部を形成したが、１つの突起に形成する補強部の数は、１つだけでもよく、３つ以上でもよい。
（４）上記実施例では、一対の補強部が、突起の突出方向と平行な軸に関して点対称な形態としたが、一対の補強部は、非対称な形態でもよい。
（５）上記実施例では、突起の数を１つとしたが、突起の数は複数であってもよい。
（６）上記実施例では、第１収容空間と第２収容空間の数を２つとしたが、第１収容空間と第２収容空間の数は、３つ以上でもよい。
【符号の説明】
【００２７】
１０…第１ハウジング
１１…第１フレーム
１２…フレーム本体部
１３…フード部
１４…第１収容空間
１７…第１サブハウジング
１８…第１端子金具
２１…突起
２２…補強部
３０…第２ハウジング
３１…第２フレーム
３２…第２収容空間
３３…第２仕切壁（仕切壁）
３５…第２サブハウジング
３６…第２端子金具
３８…収容凹部
３９…切欠部
【図１】
0005765288.tif 000002
【図２】
0005765288.tif 000003
【図３】
0005765288.tif 000004
【図４】
0005765288.tif 000005
【図５】
0005765288.tif 000006
【図６】
0005765288.tif 000007
【図７】
0005765288.tif 000008
【図８】
0005765288.tif 000009